(57)【要約】【課題】記録ヘッドと温風発生ユニットとを備えた記録装置において、記録ヘッドのノズル面側の領域に浮遊するインクミストを、記録ヘッドからインクが吐出されていないときに回収可能な記録装置を提供すること。【解決手段】被記録材支持部29上に被記録材Pを搬送し、記録ヘッド7からインクを吐出して前記被記録材に記録を実行する記録装置であって、前記記録ヘッドの一方側において該記録ヘッドの保持部材9に設けられた温風発生ユニット17と、前記記録ヘッドの他方側において前記保持部材9に設けられた排気ユニット61とを備え、前記排気ユニットの作動時に、前記温風発生ユニットから吹き出された温風Hが前記記録ヘッドと前記被記録材支持部の間を通って前記排気ユニットに至る第１の気流が形成されるように構成されている。【選択図】図７
2010142954.tif 000002
【特許請求の範囲】
【請求項１】
被記録材支持部上に被記録材を搬送し、記録ヘッドからインクを吐出して前記被記録材に記録を実行する記録装置であって、
前記記録ヘッドの一方側において該記録ヘッドの保持部材に設けられた温風発生ユニットと、
前記記録ヘッドの他方側において前記保持部材に設けられた排気ユニットとを備え、
前記排気ユニットの作動時に、前記温風発生ユニットから吹き出された温風が前記記録ヘッドと前記被記録材支持部の間を通って前記排気ユニットに至る第１の気流が形成されるように構成されていることを特徴とする記録装置。
【請求項２】
請求項１に記載の記録装置において、
前記温風発生ユニットは風向を可変に構成され、
記録動作開始後において記録ヘッドが記録実行を停止しているときに、前記排気ユニットが作動し、且つ前記温風発生ユニットが風向を変えて前記第１の気流が形成されるように構成されていることを特徴とする記録装置。
【請求項３】
請求項２に記載の記録装置において、
前記温風発生ユニットは、少なくとも、前記第１の気流を形成する際の風向の向きと、前記排気ユニットが非作動状態において前記第１の気流と異なる他の気流を形成するときの風向の向きとを切り換え可能に構成されていることを特徴とする記録装置。
【請求項４】
請求項２又は３に記載の記録装置において、
前記保持部材は前記記録ヘッドを前記搬送方向と交差する方向に往復移動させるキャリッジで構成されており、
前記温風発生ユニットは、前記キャリッジによって移動されて、該キャリッジの往復移動の一端側に設けられている突き当て部材に当接することにより前記第１の気流を形成する際の風向の向きに自動的に変わるように構成されていることを特徴とする記録装置。
【請求項５】
請求項４に記載の記録装置において、
前記温風発生ユニットは、風向切換え機構を介して風向が切換るように構成され、
前記風向切換え機構は、揺動軸を中心に一定の角度の範囲で揺動する軸受け部を備えた温風ボックスと、
前記温風ボックスの一部に当接して前記温風ボックスを揺動軸を中心に一定の角度、揺動させる前記突当て部材と、
前記揺動方向と反対の方向に回転するように温風ボックスを付勢する付勢部材と、
前記温風ボックスが突当て部材に当接していない通常の姿勢を設定する姿勢設定ストッパと、を備えていることを特徴とする記録装置。
【請求項６】
請求項４に記載の記録装置において、
記録ヘッドに対するキャッピング装置は、キャリッジの往復移動方向における前記突き当て部材と反対側となる他端側に設けられ、
前記温風発生ユニットは前記記録ヘッドに対して前記突き当て部材側に配設され、
前記排気ユニットは前記記録ヘッドに対して前記キャッピング装置側に設けられていることを特徴とする記録装置。
【発明の詳細な説明】
【技術分野】
【０００１】
本発明は、被記録材支持部上に被記録材を搬送し、記録ヘッドからインクを吐出して前記被記録材に記録を実行し、被記録材の被記録面に吐出されたインクに温風を当てて加熱乾燥する構成の記録装置に関する。
【背景技術】
【０００２】
インクジェットプリンタの中には、下記の特許文献１に示すように用紙の被記録面に吐出されたインクに温風を当てて加熱乾燥する温風発生ユニットを備えたインクジェットプリンタが存在する。そして、下記の特許文献１では記録ヘッドの走査方向の片側または両側の近傍に傾斜姿勢で取り付けられている温風発生ユニットを備えたインクジェット記録装置が開示されている。
【特許文献１】特開昭６４−１１８４１号公報
【発明の開示】
【発明が解決しようとする課題】
【０００３】
しかし、前記特許文献１のインクジェット記録装置の場合には、記録の実行によってインク滴から生じて、記録ヘッドのノズル面と対向する領域に浮遊するインクミストを回収できる構造にはなっていない。従って、記録ヘッドがインクを吐出していないで静止状態にあるときでもノズル面側にインクミストが浮遊している状態となる。
【０００４】
そのため、該インクミストが徐々に記録ヘッドのノズル面に付着する。付着したインクミスとは記録ヘッド近傍に在る温風発生ユニットの熱の影響で固化しやすい。ノズル孔周辺に付着したインクミストは、その付着量がある程度になると、記録ヘッドがインクを吐出して記録を開始したときに、前記インクミストの付着が原因となってノズル孔から吐出されるインクの吐出方向を曲げる等の吐出不良を招いて、被記録面に対してインクの着弾位置のズレを誘発させ、記録品質の低下を来たす問題があった。この問題は、記録ヘッドが常に静止しているラインプリンタにおいては、特に起こりやすい。
【０００５】
本発明の目的は、記録ヘッドと温風発生ユニットとを備えた記録装置において、記録ヘッドのノズル面側の領域に浮遊するインクミストを、記録ヘッドからインクが吐出されていないときに回収可能な記録装置を提供することにある。
【課題を解決するための手段】
【０００６】
前記課題を解決するために本発明の第１の態様に係る記録装置は、被記録材支持部上に被記録材を搬送し、記録ヘッドからインクを吐出して前記被記録材に記録を実行する記録装置であって、前記記録ヘッドの一方側において該記録ヘッドの保持部材に設けられた温風発生ユニットと、前記記録ヘッドの他方側において前記保持部材に設けられた排気ユニットとを備え、前記排気ユニットの作動時に、前記温風発生ユニットから吹き出された温風が前記記録ヘッドと前記被記録材支持部の間を通って前記排気ユニットに至る第１の気流が形成されるように構成されていることを特徴とするものである。
【０００７】
本態様によれば、前記排気ユニットの作動時に、前記温風発生ユニットから吹き出された温風が前記記録ヘッドと前記被記録材支持部の間を通って前記排気ユニットに至る第１の気流が形成されるように構成されているので、記録ヘッドのノズル面側の領域に浮遊するインクミストを、記録ヘッドからインクが吐出されていないときに回収可能である。すなわち、記録ヘッドのノズル面側に浮遊しているインクミストを温風といっしょに吸引して効果的にインクミストを回収することができる。  
これにより、前記インクミストの付着が原因となってノズル孔から吐出されるインクの吐出方向を曲げる等の吐出不良を防止でき、被記録面に対してインクの着弾位置のズレを誘発させる問題を防止できる。
【０００８】
また、記録ヘッドと温風発生ユニットと排気ユニットは、保持部材によって一体に支持されているので、記録ヘッドと温風発生ユニットと排気ユニットとの互いの相対位置は常に一定であり、常に一定の加熱乾燥作用と、排気作用が得られる。
【０００９】
本発明の第２の態様は、前記第１の態様の記録装置において、前記温風発生ユニットは風向を可変に構成され、記録動作開始後において記録ヘッドが記録実行を停止しているときに、前記排気ユニットが作動し、且つ前記温風発生ユニットが風向を変えて前記第１の気流が形成されるように構成されていることを特徴とするものである。ここで、記録動作開始後とは、一つの記録ジョブに対応する記録を行うためにインクの吐出が開始された後のことを意味する。
【００１０】
本態様によれば、前記温風発生ユニットは風向を可変に構成されているので、前記第１の気流を安定性良く形成することができる。
【００１１】
本発明の第３の態様は、前記第２の態様の記録装置において、前記温風発生ユニットは、少なくとも、前記第１の気流を形成する際の風向の向きと、前記排気ユニットが非作動状態において前記第１の気流と異なる他の気流を形成するときの風向の向きとを切り換え可能に構成されていることを特徴とするものである。
【００１２】
本態様によれば、前記インクミスト回収時の前記「第１の気流」と、温風発生ユニットを被記録材の予備加熱や本加熱を行うときに形成する「他の気流」とを切り換えて形成するので、それぞれの効果を充分に発現させることができる。
【００１３】
本発明の第４の態様は、前記第２の態様又は第３の態様に記載の記録装置において、前記保持部材は前記記録ヘッドを前記搬送方向と交差する方向に往復移動させるキャリッジで構成されており、前記温風発生ユニットは、前記キャリッジによって移動されて、該キャリッジの往復移動の一端側に設けられている突き当て部材に当接することにより前記第１の気流を形成する際の風向の向きに自動的に変わるように構成されていることを特徴とするものである。
【００１４】
本態様によれば、突き当て部材によって自動的に温風発生ユニットの風向を切り換えることができる。
【００１５】
本発明の第５の態様は、前記第４の態様の記録装置において、前記温風発生ユニットは、風向切換え機構を介して風向が切換るように構成され、前記風向切換え機構は、揺動軸を中心に一定の角度の範囲で揺動する軸受け部を備えた温風ボックスと、前記温風ボックスの一部に当接して前記温風ボックスを揺動軸を中心に一定の角度、揺動させる前記突当て部材と、前記揺動方向と反対の方向に回転するように温風ボックスを付勢する付勢部材と、前記温風ボックスが突当て部材に当接していない通常の姿勢を設定する姿勢設定ストッパと、を備えていることを特徴とするものである。
【００１６】
本態様によれば、前記温風発生ユニットの風向を切換える機構をより簡単な構造で且つ少ない部品点数で実現することができる。
【００１７】
本発明の第６の態様は、前記第４の態様の記録装置において、記録ヘッドに対するキャッピング装置は、キャリッジの往復移動方向における前記突き当て部材と反対側となる他端側に設けられ、前記温風発生ユニットは前記記録ヘッドに対して前記突き当て部材側に配設され、前記排気ユニットは前記記録ヘッドに対して前記キャッピング装置側に設けられていることを特徴とするものである。
【００１８】
本態様によれば、記録ヘッドがホームポジションに移動する時やホームポジションで記録ヘッドがキャッピングないし廃液処理を行っている時に、温風発生ユニットから吹き出された温風が記録ヘッドに当たらないようになる。
【発明を実施するための最良の形態】
【００１９】
以下、本発明に係る記録装置について説明する。最初に本発明の記録装置を実施するための最良の形態としてインクジェットプリンタ１を採り上げて、図１〜図７に示す実施例１と、図１０〜図１４に示す実施例２について説明する。
【００２０】
［実施例１］
図１は実施例１に係るインクジェットプリンタの内部構造の概略を示す記録ヘッドが排気ポジションに位置しているときの平面図、図２は同内部構造の概略側断面図である。また、図３は同内部構造で、記録ヘッドが記録実行領域に位置しているときの平面図、図４は同内部構造で、記録ヘッドがホームポジションに位置しているときの平面図である。図５は記録ヘッドと温風発生ユニットと排気ユニットとがキャリッジによって一体に支持されている状態を示す予備加熱又は本乾燥時の背面図、図６は同状態でインクを吐出している記録実行時の背面図、図７は同状態で排気ユニット作動時の背面図である。
【００２１】
実施例１に係るインクジェットプリンタ１Ａは、被記録材（以下用紙ともいう）Ｐの被記録面３にインクＣを吐出して記録を実行する記録ヘッド７と、記録ヘッド７からインクＣが吐出される前である記録実行前、記録ヘッド７からインクＣが吐出される記録実行中、さらに記録ヘッド７からインクＣが吐出されなくなる記録実行後の一連の記録動作中に用紙Ｐの被記録面３に温風Ｈを当ててインクＣを加熱乾燥するための温風発生ユニット１７と、前記記録ヘッド７のノズル面８から吐出されたインクＣから生じる浮遊インクミストを温風Ｈといっしょに吸引して捕捉する排気ユニット６１とを備えている。更に該インクジェットプリンタ１Ａは、前記記録ヘッド７を用紙Ｐの搬送方向Ａと直交する走査方向Ｂにおける中央に配し、前記温風発生ユニット１７を該記録ヘッド７の一方側、前記排気ユニット６１を前記記録ヘッドの他方側に配置して、これら温風発生ユニット１７、記録ヘッド７、排気ユニット６１を一体に走査方向Ｂに往復移動させる保持部材であるキャリッジ９と、用紙Ｐを下側から支持して記録実行領域３５に向けて搬送する搬送支持装置２５とを備えることによって構成されている。
【００２２】
記録ヘッド７は、上述したようにキャリッジ９の走査方向Ｂの中央に配置されており、この記録ヘッド７には図示しないインクカートリッジから各色のインクが供給されて記録ヘッド７の下面のノズル面８から対向する下方の用紙Ｐに向けて該インクが吐出されるようになっている。また、前記記録ヘッド７は、キャリッジ９によってキャッピング装置１３が設けられているホームポジション１０と、記録実行時に位置する記録実行領域３５と、後述する排気時に位置する排気ポジション２０との間を移動できるようになっている。キャッピング装置１３は廃液ユニット１４を備えている。
【００２３】
温風発生ユニット１７は、温風Ｈを発生する加熱用のユニットであり、図示しない温風発生装置から供給された温風Ｈを吹出し口１８から吹き出して後述する搬送支持装置２５によって吸着保持され、搬送方向Ａに向けて搬送される用紙Ｐの被記録面３に向けて吹き付けることができるようになっている。そして、この温風発生ユニット１７は、本実施例では記録ヘッド７の移動方向における一方側、即ち前記ホームポジション１０と反対側の排気ポジション２０側となるキャリッジ９の端部に設けられている。
【００２４】
また、前記温風発生ユニット１７は、前記温風Ｈの吹出し口１８を前記記録ヘッド７の存する内方Ｄ（図７）と、用紙Ｐの存する下方Ｅ（図５）と、前記記録ヘッド７と反対側の外方Ｆ（図６）とに指向させる風向切換え機構１９Ａを介して設けられている。該風向切換え機構１９Ａは、本実施例では揺動軸２１を中心に一定の角度の範囲で揺動し得るように構成されている軸受け部２２、２２を備え、下面に前記吹出し口１８を備えた温風ボックス２３と、前記温風ボックス２３の揺動に必要な回転力を生起させる角度調整モータ３７と、該角度調整モータ３７の出力軸の回転を前記揺動軸２１に伝えるギヤ輪列３９とを備えることによって構成されている。
【００２５】
そして、前記角度調整モータ３７を所定の角度、回転させることによって前記揺動軸２１を中心とした温風ボックス２３の揺動を可能にし、吹出し口１８の前記内方Ｄと、下方Ｅと、外方Ｆへの風向の切り換えを可能にしている。尚、前記温風発生ユニット１７の吹出し口１８は、図５に示す予備加熱又は本乾燥時には用紙Ｐの乾燥効率を高めるために下方Ｅに向き、図６に示す記録実行時には記録ヘッド７への影響を少なくするために外方Ｆに向き、図７に示す排気時には温風発生ユニット１７から吹き出された温風Ｈが記録ヘッド７の下を通って次に述べる排気ユニット６１に至る第１の気流が形成されるように内方Ｄを向くように構成されている。
【００２６】
排気ユニット６１は、インクミストを回収するための吸引風を形成するためのユニットであり、本実施例では記録ヘッド７の移動方向における他方側、即ち前記キャッピング装置１３及び廃液ユニット１４が設けられているホームポジション１０側となるキャリッジ９の端部に設けられている。この排気ユニット６１は、吸引口６３を記録ヘッド７側の下部側面に設けた一例としてボックス状の排気ダクト６５と、該排気ダクト６５の上部の排気経路上に設けられているインクミスト捕捉用のフィルタ６７と、該フィルタ６７の上部の排気経路上に一例として４基設けられている排気ファン６９、６９、６９、６９とを備えることによって構成されている。
【００２７】
キャリッジ９は、前記記録ヘッド７と温風発生ユニット１７と排気ユニット６１とを搭載して、これらを走査方向Ｂに往復移動させる移載装置である。そして、このキャリッジ９は、後述する搬送支持装置２５を跨ぐように走査方向Ｂに架け渡されているガイド軸１１によって案内されると共に、一端に正逆転可能なキャリッジ走査モータ６が接続されているネジ軸１２によって駆動力が伝達されて支持され、走査方向Ｂに往復移動できるようになっている。
【００２８】
搬送支持装置２５は、用紙Ｐを記録実行領域３５に導く搬送案内部材２７と、前記記録実行領域３５に搬送された用紙Ｐの下面４を支承して記録ヘッド７との間のギャップＰＧを規定する被記録材支持部であるプラテン２９と、前記プラテン２９を加熱し、該プラテン２９を介してプラテン２９上の用紙Ｐを補助加熱するプラテンヒータ３１と、を備えることによって基本的に構成されている。
【００２９】
本実施例では前記搬送案内部材２７として多数のサクション用の図示しない小孔が形成された無端帯状のサクションベルト４７と、該サクションベルト４７に搬送駆動力を付与する駆動ローラ４９と、従動ローラ５１と、テンションローラ５３とを備えるベルト式の搬送案内部材が適用されている。尚、図示は省略するが前記プラテン２９とプラテンヒータ３１にもサクション用の小孔が多数形成されており、これらの小孔にはプラテンヒータ３１の下方に配設されている吸引ファン３３によって生起された吸引風が流れ、サクションベルト４７上に載置された用紙Ｐを吸着保持できるようになっている。
【００３０】
この他、本実施例においては、記録ヘッド７からのインクＣの吐出の有無を検出するインク吐出センサＴ１と、前記キャリッジ９の位置を検出する位置センサＴ２と、前記インク吐出センサＴ１によって得られた記録実行停止情報７１と前記位置センサＴ２によって得られたキャリッジ９の位置情報７３とに基づいて、記録実行前後及び記録実行中の記録ヘッド７と温風発生ユニット１７と排気ユニット６１と搬送支持装置２５の各動作の制御を司る制御装置５７と、が設けられている。
【００３１】
尚、前記記録ヘッド７と温風発生ユニット１７と排気ユニット６１と搬送支持装置２５の各動作の制御は、元々記録装置として定められている基本動作と記録データとによって定まる記録動作に基づいて、前記記録実行停止情報と前記位置情報を把握することが可能であるため、前記インク吐出センサＴ１及び位置センサＴ２を設けずに実行することも可能である。
【００３２】
前記位置センサＴ２によって得られる位置情報７３としては、キャリッジ９がホームポジション１０に位置しているか、記録実行領域３５に位置しているか、排気ポジション２０に位置しているかの位置情報が一例として挙げられる。また、前記制御装置５７によって実行される記録ヘッド７と温風発生ユニット１７と排気ユニット６１の記録動作は、図５〜図７に示すようになる。
【００３３】
即ち、記録開始前に被記録材を予め加熱しておく予備加熱又は記録ヘッドによる記録終了後に行われる本乾燥時には、図５に示すように記録ヘッド７と排気ユニット６１がＯＦＦ状態、温風発生ユニット１７がＯＮ状態で風向が下向きＥになる。記録実行時には、図６に示すように排気ユニット６１がＯＦＦ状態、記録ヘッド７と温風発生ユニット１７がＯＮ状態で温風発生ユニット１７の風向は外向きＦになる。記録動作開始後の記録実行停止時すなわち排気時には、後述するように記録ヘッド７がＯＦＦ状態、温風発生ユニット１７と排気ユニット６１がＯＮ状態で温風発生ユニット１７の風向は内向きＤになる。
【００３４】
［作用］
次に、図８及び図９を用いて本実施例の記録装置で記録を行う場合の記録実行開始から記録実行完了までの一連の動作の流れを説明しつつ本発明の作用を説明する。  
図８は該記録装置による記録実行開始から記録実行完了までの流れの前半部分を示すフローチャート、図９は同上、後半部分を示すフローチャートである。
【００３５】
先ず、ユーザは記録装置１に被記録材Ｐをセットし、ステップＳ１において、被記録材Ｐの種別や記録速度等の記録モード等を設定して記録実行開始ボタンを押し、記録の実行を開始する。そして、ステップＳ１で出された記録実行指令を受けて、搬送支持装置２５が駆動を開始し、サクションベルト４７上に被記録材Ｐを吸着保持させ、記録実行領域３５に向けて被記録材Ｐを搬送する。
【００３６】
次に、ステップＳ２に移行して、温風発生ユニット１７をＯＮ状態にする。尚、この時の風向は、図５に示すように吹出し口１８が一例として下方を向くように設定されている。続いてステップＳ３に移行して、キャリッジ走査モータ６をＯＮ状態にする。これにより、キャリッジ９はホームポジション１０から記録実行領域３５に移され、該記録実行領域３５を走査方向Ｂに往復移動して被記録材Ｐを予備加熱して吐出されるインクが乾燥しやすい状態にしておく。
【００３７】
被記録材Ｐの予備加熱終了後、ステップＳ４に移行して、記録ヘッド７のノズル面８からインクＣを吐出させて記録の実行を開始する。この状態では、図６に示すように温風発生ユニット１７は吹出し口１８を外方Ｆに向けた状態でＯＮ状態、記録ヘッド７がＯＮ状態で排気ユニット６１はＯＦＦ状態である。次に、ステップＳ５に移行し、記録ヘッド７が記録実行を停止しているか否かの判断が行われる。
【００３８】
そして、記録実行が停止している、即ち記録ヘッド７は排気ポジションに位置し、記録ヘッド７からインクＣが吐出されていないタイミングであると判断された場合には、記録実行停止情報７１が制御装置５７に送られてステップＳ６に移行し、排気ユニット６１をＯＮ状態にする。一方、記録実行中と判断された場合には、ステップＳ４の記録実行が継続され、繰り返しステップＳ５の判断が行われる。ステップＳ６で排気ユニット６１がＯＮ状態になると、ステップＳ７に移行し、温風発生ユニット１７の風向を内方Ｄに向けて所定時間、温風Ｈを記録ヘッド７側に向けて送風して第１の気流を形成し、記録ヘッド７のノズル面８の下方に浮遊しているインクミストの回収を実行する（図７）。
【００３９】
次に、ステップＳ８に移行して、温風発生ユニット１７の風向を元に戻し、ステップＳ９に移行して排気ユニット６１をＯＦＦ状態にする。そして、ステップＳ１０において、記録実行が全て終了したか否かの判断が行われ、終了していないと判断された場合には、前記ステップＳ４に戻って記録の実行及び記録ヘッド７下方のインクミストの回収が継続される。
【００４０】
一方、ステップＳ１０において記録の実行が全て終了したと判断された場合には、ステップＳ１１に移行し、排気ユニット６１をＯＮ状態にし、温風発生ユニット１７から下方に向けて温風Ｈを送風し、温風Ｈによる被記録面３の本乾燥と、前記被記録面３上に浮遊しているインクミストの回収を実行する。
【００４１】
更にステップＳ１２に移行し、前記本乾燥が所定時間行われたか否かの判断が行われ、行われていないと判断された場合には、本乾燥が継続される。一方、ステップ１２で本乾燥が所定時間行われたと判断された場合には、ステップＳ１３に移行して、キャリッジ走査モータ６がＯＦＦ状態であればＯＮ状態にし、記録ヘッド７をホームポジション１０へと移動させて停止させる。そして、温風発生ユニット１７と排気ユニット６１をＯＦＦ状態にし、一連の記録実行が完了する。
【００４２】
[実施例２]
図１０は実施例２に係るインクジェットプリンタの内部構造の概略を示す記録ヘッドが記録実行領域に位置している時の平面図、図１１は実施例２に係るインクジェットプリンタの記録ヘッドと温風発生ユニットと排気ユニットの周辺部位を拡大して示すキャリッジが記録実行領域に位置している時の背面図、図１２は実施例２に係るインクジェットプリンタの記録ヘッドと温風発生ユニットと排気ユニットの周辺部位を拡大して示すキャリッジが記録実行領域に位置している時の風向切換え機構の作動態様を示す斜視図である。また、図１３は同上、キャリッジが排気ポジションに到達した時の背面図、図１４は同上、キャリッジが排気ポジションに到達した時の風向切換え機構の作動態様を示す斜視図である。
【００４３】
実施例２に係るインクジェットプリンタ１Ｂは、前記実施例１に係るインクジェットプリンタ１Ａと同様、記録ヘッド７と、温風発生ユニット１７と、排気ユニット６１と、キャリッジ９と、搬送支持装置２５とを備えており、このうち、温風発生ユニット１７の一部である風向切換え機構１９の構成のみが実施例１に係るインクジェットプリンタ１Ａと相違している。従って、ここでは実施例１に係るインクジェットプリンタ１Ａと共通する構成については説明を省略し、構成が相違する風向切換え機構１９Ｂの構成に絞って説明する。
【００４４】
即ち、実施例２では、温風発生ユニット１７は、前記キャリッジ９によって移動されて、該キャリッジ７の往復移動の一端側に設けられている突き当て部材７７に当接することにより前記第１の気流を形成する際の風向の向きに自動的に変わるように構成されている。そして、風向切換え機構１９Ｂは、揺動軸２１を中心に一定の角度の範囲で揺動し得るように構成されている軸受け部２２、２２を備え、下面に前記吹出し口１８を備えた温風ボックス２３と、前記温風ボックス２３の一部に当接して、前記温風ボックス２３を揺動軸２１を中心に一定の角度、揺動させる一例として矩形平板状の突当て部材７７と、前記揺動方向Ｇと反対の方向Ｒに温風ボックス２３が回転するように付勢する付勢部材としての捩りコイルバネ７９と、前記温風ボックス２３が前記突当て部材７７に当接していない通常の姿勢を設定する姿勢設定ストッパ８１と、を備えることによって構成されている。
【００４５】
即ち、図１１、図１２に示すように、キャリッジ９が記録実行領域３５に位置している状態では、温風ボックス２３と突当て部材７７との間に距離があり、両者は非接触である。そして、温風ボックス２３は、捩りコイルバネ７９の付勢力によって図中、時計方向に回転し、温風ボックス２３の上面が姿勢設定ストッパ８１に当接した状態になっている。この状態では、図示のように吹出し口１８が下方Ｅを向いた姿勢になっており、当該姿勢が温風ボックス２３の通常の姿勢になっている。
【００４６】
一方、図１３、図１４に示すように、キャリッジ９が記録実行領域３５から移動して排気ポジション２０に到達した状態では、突当て部材７７に温風ボックス２３が当接することによって温風ボックス２３は、捩りコイルバネの付勢力に抗して反時計方向に回転し、図示のように吹出し口１８が内方Ｄを向いた排気時の姿勢に自動的になる。このように本実施例の場合には、温風ボックス２３を外方Ｆに向くように揺動させることはできないが、前記実施例１で設けた角度調整モータ３７等の別途の駆動手段を使用することなく、自動的に内方Ｄと下方Ｅとを向くように温風ボックス２３を揺動させることが可能になっている。
【００４７】
以上説明したように本実施例の記録装置によれば、記録ヘッド７と温風発生ユニット１７とを備えた記録装置に対して、記録ヘッド７から吐出されたインクＣの飛行軌跡に影響を与えることなく、記録実行前後及び記録実行中の被記録材Ｐの温風Ｈによる加熱乾燥と、記録ヘッド７の下方の領域に対して温風Ｈを利用した効果的なインクミストの回収が可能になる。
【００４８】
また、実施例１の風向切換え機構１９Ａを採用した場合には、温風ボックス２３の自由な角度調整が可能になり、吹出し口１８を内方Ｄ、下方Ｅ、外方Ｆと自由な角度に指向させることが可能になる。また、実施例２の風向切換え機構１９Ｂを採用した場合には、別途の駆動機構を設けなくても自動的に温風ボックス２３の吹出し口１８を内方Ｄと下方Ｅに切り換えることが可能になる。
【００４９】
この他、プラテンヒータ３１と加熱ユニット１７との併用によって被記録材Ｐないし被記録面３に吐出されたインクＣの乾燥効率が向上し、プラテンヒータ３１のみの加熱の場合に生じる水玉模様状の色ムラも発生しない。また、サクションベルト４７の採用によってプラテン２９上での被記録材Ｐのカールに起因する被記録材Ｐの詰まりや、被記録材Ｐの浮き上がりによる加熱ムラを防止することができる。更に、サクションベルト４７の採用によって加熱ユニット１７からの温風が被記録材Ｐを舞い上がらせる方向に当たっても被記録材Ｐのめくれは生じない。
【００５０】
［他の実施例］
本発明に係る記録装置以上述べたような構成を基本とするものであるが、本願発明の要旨を逸脱しない範囲内の部分的構成の変更や省略等を行うことも勿論可能である。  
例えば、上記記録装置は、キャリッジ９に記録ヘッド７が搭載されて往復移動させるタイプのインクジェット式プリンタに本発明を提供した例を説明したが、記録ヘッドがライン状に固定されているラインプリンタにも適用できる。この場合、温風発生ユニット１７と排気ユニット６１は、記録ヘッド７を挟んで被記録材Ｐの搬送方向における上流側と下流側に配設される。温風発生ユニット１７の風向切換え機構は実施例１と同様の角度調整モータ３７を用いた構造で実現される。
【００５１】
また、キャリッジ９の走査方向Ｂへの１度の走査によって記録の実行と、温風Ｈによる被記録材Ｐの乾燥と、温風Ｈを利用したインクミストの回収が実行できる時には、前記搬送支持装置２５を省略することも可能である。また、前記風向切換え機構１９の構造は前記実施例１、実施例２の構造に限らず、種々の構造が採用でき、カムやクランクを使用した機構や予め吹出し口１８を複数設けておき、これらを選択して使用する構成等を採用することも可能である。
【図面の簡単な説明】
【００５２】
【図１】本発明の実施例１に係るインクジェットプリンタの内部構造の概略を示す記録ヘッドが排気ポジションに位置しているときの平面図。
【図２】本発明の実施例１に係るインクジェットプリンタの内部構造の概略を示す記録ヘッドが排気ポジションに位置しているときの側断面図。
【図３】本発明の実施例１に係るインクジェットプリンタの内部構造の概略を示す記録ヘッドが記録実行領域に位置しているときの平面図。
【図４】本発明の実施例１に係るインクジェットプリンタの内部構造の概略を示す記録ヘッドがホームポジションに位置しているときの平面図。
【図５】キャリッジに支持された記録ヘッド、温風発生ユニット及び排気ユニットを示す予備加熱又は本乾燥時の背面図。
【図６】キャリッジに支持された記録ヘッド、温風発生ユニット及び排気ユニットを示す記録実行時の背面図。
【図７】キャリッジに支持された記録ヘッド、温風発生ユニット及び排気ユニットを示す排気処理時の背面図。
【図８】実施例１に係る記録装置の作用を説明するフローチャートで、前半部分を示す。
【図９】実施例１に係る記録装置の作用を説明するフローチャートで、後半部分を示す。
【図１０】本発明の実施例２に係るインクジェットプリンタの内部構造の概略を示す記録ヘッドが記録実行ポジションに位置しているときの平面図。
【図１１】キャリッジが記録実行領域に位置している時の風向切換え機構とその周辺部材を示す背面図。
【図１２】キャリッジが記録実行領域に位置しているときの風向切換え機構とその周辺部材を示す斜視図。
【図１３】キャリッジが排気ポジションに到達したときの風向切換え機構とその周辺部材を示す背面図。
【図１４】キャリッジが排気ポジションに到達したときの風向切換え機構とその周辺部材を示す斜視図。
【符号の説明】
【００５３】
１  インクジェットプリンタ（記録装置）、３  被記録面、４  下面、６  キャリッジ走査モータ、７  記録ヘッド、８  ノズル面、９  キャリッジ、１０  ホームポジション、１１  ガイド軸、１２  ネジ軸、１３  キャッピング装置、１４  廃液ユニット、１７  温風発生ユニット、１８  吹出し口、１９  風向切換え機構、２０  排気ポジション、２１  揺動軸、２２  軸受け部、２３  温風ボックス、２５  搬送支持装置、２７  搬送案内部材、２９  プラテン（被記録材支持部）、３１  プラテンヒータ、３３  吸引ファン、３５  記録実行領域、３７  角度調整モータ、３９  ギヤ輪列、４７  サクションベルト、４９  駆動ローラ、５１  従動ローラ、５３  テンションローラ、５７  制御装置、６１  排気ユニット、６３  吸引口、６５  排気ダクト、６７  フィルタ、６９  排気ファン、７１  記録実行停止情報、７３  位置情報、７７  突当て部材、７９  捩りコイルバネ（付勢部材）、８１  姿勢設定ストッパ、Ｐ  用紙（被記録材）、Ａ  搬送方向、Ｂ  走査方向、ＰＧ  ギャップ、Ｔ１  インク吐出センサ、Ｔ２  位置センサ、Ｃ  インク、Ｈ  温風、Ｄ  内方、Ｅ  下方、Ｆ  外方、Ｇ  揺動方向、Ｒ  反対の方向
【図１】
2010142954.tif 000003
【図２】
2010142954.tif 000004
【図３】
2010142954.tif 000005
【図４】
2010142954.tif 000006
【図５】
2010142954.tif 000007
【図６】
2010142954.tif 000008
【図７】
2010142954.tif 000009
【図８】
2010142954.tif 000010
【図９】
2010142954.tif 000011
【図１０】
2010142954.tif 000012
【図１１】
2010142954.tif 000013
【図１２】
2010142954.tif 000014
【図１３】
2010142954.tif 000015
【図１４】
2010142954.tif 000016